(57)【要約】【課題】既設の遠方監視制御装置（ＴＣ）から新設ＴＣへ切り替える際に、新設ＴＣの入力回路について効率的に試験を行うことができ、安全性の高い切り替え作業を可能にすること。【解決手段】端子間の接続を入切する断路スイッチを備える中継端子部を用いて、新旧ＴＣの切り替えを行う。表示入力回路の切替については、さらに同回路の電源出力端子から整流素子を介して、受電盤に接続するようにする。この準備工程の後、断路スイッチを入りにして、既設の遠方監視制御装置の電圧入力試験を実施する一方、断路スイッチを切りにして、新設の遠方監視制御装置の電圧入力試験を実施する試験工程と、試験工程の後、断路スイッチを切りにして、既設の遠方監視制御装置を基端とする配線を撤去する既設撤去工程とを実施する。【選択図】図２
2012029537.tif 000002
【特許請求の範囲】
【請求項１】
端子間の接続を入切する断路スイッチを備える中継端子部によって、現地機器の接点の開閉状態を取り込む表示入力回路を有する遠方監視制御装置であって既設の遠方監視制御装置から新設の遠方監視制御装置へ切り替える切り替え工法において、
既設の遠方監視制御装置を基端とした電源出力端子と前記中継端子部の第一の端子とを配線接続する工程と、前記第一の端子を整流素子のアノード側に配線接続すると共に、該整流素子のカソード側を前記中継端子部の第二の端子に配線接続する第一の整流素子接続工程と、当該第二の端子に接続する他の端子を中継端子部の第三の端子に配線接続する工程と、該第三の端子に接続する他の端子を先端が切断され開放されたネジ止め部によって、受電盤端子へ配線接続する工程と、前記中継端子部の前記第二の端子および第三の端子に対応する断路スイッチを切り状態にする工程と、新設の遠方監視制御装置の電源端子からの配線を前記中継端子部の第四の端子へ配線接続する工程と、前記第四の端子を整流素子のアノード側に配線接続すると共に、さらに該整流素子のカソード側を前記中継端子部の第五の端子に配線接続する第二の整流素子接続工程と、前記第五の端子に接続する他の端子を受電盤端子に略Ｏ字状のネジ止め部にて配線接続する工程と、現地機器の接点から前記中継端子部の第六の端子へ配線接続すると共に、該第六の端子と新設の遠方監視制御装置の信号入力端子とを配線接続し、さらに、該第六の端子に接続する他の端子と既設の遠方監視制御装置の信号入力端子とを配線接続する工程と、を含む準備工程と、
前記準備工程の後、前記断路スイッチを入りにして、既設の遠方監視制御装置の電圧入力試験を実施する一方、前記断路スイッチを切りにして、新設の遠方監視制御装置の電圧入力試験を実施する試験工程と、
前記試験工程の後、断路スイッチを切りにして、既設の遠方監視制御装置を基端とする配線を撤去する既設撤去工程と、
を含むことを特徴とする遠方監視制御装置の切り替え工法。
【請求項２】
前記中継端子部は、対となる端子を整流素子を介して接続した整流素子中継部を有し、前記第一の整流素子接続工程および前記第二の整流素子接続工程は、該整流素子中継部によって配線接続することを特徴とする請求項１に記載の遠方監視制御装置の切り替え工法。
【請求項３】
請求項２記載の遠方監視制御装置の切り替え工法において、整流素子を介して接続された端子と断路スイッチを介して接続された端子とを並列に接続し、前記既設撤去工程の後、該断路スイッチを入り状態に設定することを特徴とする遠方監視制御装置の切り替え工法。
【請求項４】
前記中継端子部は、三端子が互いに電気的に接続されている中継端子を有し、
計器用変流器からの配線を該中継端子の一端に接続し、他端と既設の遠方監視制御装置の電流入力回路とを配線接続すると共に、該中継端子の前記一端と新設の遠方監視制御装置の電流入力回路とを配線接続する工程と、
既設の遠方監視制御装置の電流入力回路に電流開放プラグを挿入することによって、該電流入力回路への入力電流を遮断した後に、新設の遠方監視制御装置の電流入力試験を実施するする試験工程と、
該試験終了後、既設の遠方監視制御装置の電流入力回路の電流開放プラグを除去した後に、新設の遠方監視制御装置の電流入力回路に電流開放プラグを挿入して、遠方監視制御装置の切替日まで既設の遠方監視制御装置で運用する工程と、
最終切替日には、新設の遠方監視制御装置の電流入力回路の電流開放プラグを除去した後に、既設の遠方監視制御装置を撤去する工程と、
を含むことを特徴とする請求項１乃至３のいずれか一に記載の遠方監視制御装置の切り替え工法。
【発明の詳細な説明】
【技術分野】
【０００１】
本発明は、発変電所等の現地に設置され表示、計測の各回路を有する遠方監視制御装置（以下、「ＴＣ」という。）について、既設の遠方監視制御装置（以下、「旧ＴＣ」という。）から新設の遠方監視制御装置（以下、「新ＴＣ」という。）へ切り替える際に、作業ミスによる事故の発生を未然に防止して、安全性が高く、かつ作業効率の良い切り替え工法に関する。
【背景技術】
【０００２】
発変電所等の現地に設置されているＴＣの経年劣化等による取替え時には、制御・表示・計測の各回路ごとに旧ＴＣから新ＴＣに順次切替を行っている。各回路の切り替えの際には、旧装置と新装置との電源が混触しないように段取りや調査をしながら行っている。
【０００３】
また、計器用変流器（ＣＴ）からの電流を入力する電流入力回路の切り替えにあたっては、一旦、旧ＴＣの電流入力回路に新設ＴＣの電流入力回路を直列に挿入し、新設ＴＣの電流入力回路およびＴＣの計測処理の健全性を確認した後に既設ＴＣを撤去することになるため、最終段階で電流入力回路の確認試験を行う必要があり、重複した試験工程を要していた。
【０００４】
また、ＴＣの表示入力回路に関しては、たとえば、ＤＣ２４Ｖ、ＤＣ５５Ｖなどメーカごとに仕様が異なる場合があり、旧ＴＣから新ＴＣへの切り替え時に誤って混触させるとＴＣを損傷させる虞があった。
【０００５】
既設の制御盤を新設の制御盤へ切り替える従来技術として、例えば、特許文献１には、
中継端子を介して、制御対象機器と既設の制御盤と新設の制御盤との配線接続を変更しながら、既設の制御盤から新設の制御盤へ切り替える工法が記載されている。
【先行技術文献】
【特許文献】
【０００６】
【特許文献１】特開２００７−１９５３６８号公報
【発明の概要】
【発明が解決しようとする課題】
【０００７】
しかしながら、特許文献１に記載されている技術は、制御盤に関するものであり、遠方監視制御装置の特に表示入力回路や電流入力回路の切り替えの際に生ずる上記問題点を解決するものではない。
【０００８】
本発明は、上述のかかる事情に鑑みてなされたものであり、発変電所等の現地に設置されたＴＣについて、既設ＴＣから新設ＴＣへ切り替える際に、新設ＴＣの表示入力回路または電流入力回路について効率的に試験を行うことができ、作業ミスによる事故の発生を未然に防止して、安全性の高い切り替え作業を可能にする遠方監視制御装置の切り替え工法を提供することを目的とする。
【課題を解決するための手段】
【０００９】
上記目的を達成するため、本発明に係る遠方監視制御装置の切り替え工法は、端子間の接続を入切する断路スイッチを備える中継端子部によって、現地機器の接点の開閉状態を取り込む表示入力回路を有する遠方監視制御装置であって既設の遠方監視制御装置から新設の遠方監視制御装置へ切り替える切り替え工法において、既設の遠方監視制御装置を基端とした電源出力端子と前記中継端子部の第一の端子とを配線接続する工程と、前記第一の端子を整流素子のアノード側に配線接続すると共に、該整流素子のカソード側を前記中継端子部の第二の端子に配線接続する第一の整流素子接続工程と、当該第二の端子に接続する他の端子を中継端子部の第三の端子に配線接続する工程と、該第三の端子に接続する他の端子を先端が切断され開放されたネジ止め部によって、受電盤端子へ配線接続する工程と、前記中継端子部の前記第二の端子および第三の端子に対応する断路スイッチを切り状態にする工程と、新設の遠方監視制御装置の電源端子からの配線を前記中継端子部の第四の端子へ配線接続する工程と、前記第四の端子を整流素子のアノード側に配線接続すると共に、さらに該整流素子のカソード側を前記中継端子部の第五の端子に配線接続する第二の整流素子接続工程と、前記第五の端子に接続する他の端子を受電盤端子に略Ｏ字状のネジ止め部にて配線接続する工程と、現地機器の接点から前記中継端子部の第六の端子へ配線接続すると共に、該第六の端子と新設の遠方監視制御装置の信号入力端子とを配線接続し、さらに、該第六の端子に接続する他の端子と既設の遠方監視制御装置の信号入力端子とを配線接続する工程と、を含む準備工程と、前記準備工程の後、前記断路スイッチを入りにして、既設の遠方監視制御装置の電圧入力試験を実施する一方、前記断路スイッチを切りにして、新設の遠方監視制御装置の電圧入力試験を実施する試験工程と、前記試験工程の後、断路スイッチを切りにして、既設の遠方監視制御装置を基端とする配線を撤去する既設撤去工程と、を含むことを特徴とする。
【００１０】
本発明では、断路スイッチ付き中継端子（断路端子）と、ダイオードなどの整流素子を用いて、現地機器の接点、受電盤、既設の遠方監視制御装置（旧ＴＣ）、新設の遠方監視制御装置（新ＴＣ）とを上記の工程によって配線接続することにより、安全に試験を行い、また、効率よく既設から新設の遠方監視制御装置へ切り替えることができる。ここで、「接続する」とは、電気的に接続することを意味する。
【００１１】
好ましくは、前記中継端子部は、対となる端子を整流素子を介して接続した整流素子中継部を有し、前記第一の整流素子接続工程および前記第二の整流素子接続工程は、該整流素子中継部によって配線接続すると良い。断路スイッチ付き中継端子部のうち、少なくとも２対は、整流素子を介して端子を接続することにより、配線作業を効率よく行うことができる。
【００１２】
より好ましくは、整流素子を介して接続された端子と断路スイッチを介して接続された端子とを並列に接続し、上記の既設撤去工程の後に、該断路スイッチを入り状態に設定すると良い。
【００１３】
また、本発明に係る遠方監視制御装置の切り替え工法では、上記の中継端子部は、三端子が互いに電気的に接続されている中継端子を有し、計器用変流器からの配線を該中継端子の一端に接続し、他端と既設の遠方監視制御装置の電流入力回路とを配線接続すると共に、該中継端子の前記一端と新設の遠方監視制御装置の電流入力回路とを配線接続する工程と、既設の遠方監視制御装置の電流入力回路に電流開放プラグを挿入することによって、該電流入力回路への入力電流を遮断した後に、新設の遠方監視制御装置の電流入力試験を実施するする試験工程と、該試験終了後、既設の遠方監視制御装置の電流入力回路の電流開放プラグを除去した後に、新設の遠方監視制御装置の電流入力回路に電流開放プラグを挿入して、遠方監視制御装置の切替日まで既設の遠方監視制御装置で運用する工程と、最終切替日には、新設の遠方監視制御装置の電流入力回路の電流開放プラグを除去した後に、既設の遠方監視制御装置を撤去する工程と、を含むことを特徴とする。
【００１４】
本発明では、既設の遠方監視制御装置と新設の遠方監視制御装置が計器用変流器（ＣＴ）からの電流信号を並列して入力する状態において、一方の遠方監視制御装置の電流入力回路を開放プラグによって電流を遮断することにより、他方の遠方監視制御装置の電流入力回路にのみ電流が流れるようにして試験を行う。なお、開放プラグは、たとえば、特開２００８−１３０２８０号公報に記載のテストターミナルとテストプラグによって実現することができる。
【発明の効果】
【００１５】
本発明によれば、新旧のＴＣを中継端子部を介してそれぞれ受電盤や現地機器と接続し、断路スイッチや電流開放プラグを操作しながら、新ＴＣの試験を行うので、最終切替日まで旧ＴＣの運用に支障を来たすことなく、新ＴＣに対して効率良く試験を行うことができる。また、最終切替日には、旧ＴＣの配線を撤去するのみで済むので、最終切替日の作業工数を低減させることができ、またこの作業に伴って停電時間が必要な場合でもその時間を短く抑えることができる。
【００１６】
特に、表示入力回路に付いては、断路スイッチ付き中継端子と、整流素子を用いて配線をするので、配線の混触による事故の発生の可能性を低減させ、安全な作業および確認試験を行うことができる。
【図面の簡単な説明】
【００１７】
【図１】本発明の第１の実施の形態による切り替え前の旧ＴＣ４と受電盤６と現地機器５との配線接続状態を示す配線図である。
【図２】本発明の第１の実施の形態による表示入力回路切替時の断路スイッチ付き中継端子台を用いた準備段階の配線図である。
【図３】図２の断路スイッチ付き中継端子台の代わりに、ダイオード付き中継端子台を用いた準備段階の配線図である。
【図４】旧ＴＣ４３Ｒ直接試験時の配線図である。
【図５】新ＴＣ４３Ｒ直接試験時の配線図である。
【図６】旧ＴＣ４３Ｒ遠方試験時の配線図である。
【図７】切替最終日の旧ＴＣ撤去時に切り離すべきケーブルの説明図である。
【図８】旧ＴＣ４撤去後の最終形態の配線図である。
【図９】本発明の第２の実施の形態による切り替え前の旧ＴＣ４と受電盤６と現地機器５との配線接続状態を示す配線図である。
【図１０】本発明の第２の実施の形態による電流入力回路切り替え時の三端子用中継端子台を用いた準備段階の配線図である。
【図１１】旧ＴＣ試験時の配線図である。
【図１２】新ＴＣ試験時の配線図である。
【図１３】旧ＴＣ実負荷試験時の配線図である。
【図１４】新ＴＣ実負荷試験時の配線図である。
【図１５】切替試験終了後の操作時の配線図である。
【図１６】切替最終日の操作時の配線図である。
【図１７】旧ＴＣ撤去時に切り離すべきケーブルの説明図である。
【図１８】旧ＴＣ４撤去後の最終形態の配線図である。
【発明を実施するための形態】
【００１８】
以下、図面を参照しながら、本発明の実施の形態による遠方監視制御装置の切り替え工法について説明する。
［第１の実施の形態］
図１は、切り替え前の旧ＴＣ４と受電盤６と現地機器５との配線接続状態を表した図である。この図において、旧ＴＣ４を基点として、旧ＴＣ４の＋２４Ｖ電源出力端子（ＳＣ）４１からの配線の先端が受電盤６の共通制御電源開閉器（以下、「８Ｃ」という。）へ繋がる受電盤端子６１にケーブル接続され、また、これと電気的に接続する受電盤端子６２と現地機器５の状態（例えば遮断器のオン、オフ状態）を出力する接点５１の一端とがケーブルで接続されている。現地機器５の接点５１の他端は、旧ＴＣ４の信号入力端子（ＳＲ○○○）４２とケーブルで接続されている。
【００１９】
この状態において、新旧のＴＣ間で表示入力回路と電流入力回路の配線を切り替える工法について説明する。なお、本実施の形態による工法の特徴は、中継端子台により新旧装置との並列接続を構成し、また、低い電圧側（２４Ｖ）の装置へ混触防止用ダイオード付き端子台を挿入したことである。
【００２０】
１．表示入力回路の切り替え方法
以下の説明において、＜Ｓ□○＞は、処理の順番を示すものである。このうち、□は処理ないし工程の単位、○はその処理ないし工程における作業の順番を示している。
【００２１】
１−１．準備（図２参照）
＜ＳＡ１＞新ＴＣ３の直流制御電源開閉器（以下、「８Ｄ」という。）と旧ＴＣ４の８Ｄを切にする。
＜ＳＡ２＞旧ＴＣ４の電源出力端子４１を基端とした配線の先端（受電盤側）を受電盤端子６１から取り外し、中継端子台（以下、中継ＴＢという。）１０の端子１２ｂに接続する。また、この端子１２ｂをダイオード２１のアノード側に配線接続し、さらにダイオード２１のカソード側は、中継端子の他の端子１３ｂに接続する。当該端子１３ｂと電気的に接続する他の端子１３ａは端子１１ｂに配線接続する。この端子１１ｂと断路スイッチ（以下、「断路ＳＷ」という。）１１ｃを介して接続する他の端子１１ａは、先端が切断され開放されたネジ止め部（Ｙ型端子という。）６５によって、受電盤端子６１へ接続する。
＜ＳＡ３＞断路ＳＷ１１ｃ，１６ｃはロック状態、すなわち、切状態にして、中継ＴＢ１０の図中左側の端子と、これと対をなす他の端子（図中右側の端子）とを非接続の状態にする。
【００２２】
＜ＳＡ４＞新ＴＣ３の＋５５Ｖ電源出力端子（ＰＳ）３１からの配線を中継ＴＢ１０の端子１４ｂへ接続し、この端子１４ｂは、ダイオード２２のアノード側に配線接続され、さらにダイオード２２のカソード側は、中継ＴＢ１０の他の端子１５ｂに接続される。当該他の端子１５ｂと対をなす端子１５ａは、受電盤端子６１に略Ｏ字状のネジ止め部にて接続される。すなわち、受電盤端子６１には、新ＴＣの配線の略Ｏ字状のネジ止め部と、旧ＴＣ側の配線の略Ｙ字状のネジ止め部が共締めされることになる。
＜ＳＡ５＞現地機器５から旧ＴＣ４の信号入力端子４２への配線の旧ＴＣ側を切り離して、中継ＴＢ１０の端子１６ａに接続する。そして、これと対をなす端子１６ｂを旧ＴＣ４の信号入力端子４２へ配線接続する。また、中継ＴＢ１０の端子１６ａと新ＴＣ３の信号入力端子３２とを配線接続する。
【００２３】
ここで、図２に用いる中継ＴＢ１０について説明する。
中継ＴＢ１０の図中右側の端子１１ａ〜２０ａは、それぞれ断路ＳＷ１１ｃ〜２０ｃを介して図中右側の端子１１ｂ〜２０ｂと接続している。たとえば、断路ＳＷ１１ｃを「入」にすれば、端子１１ａと端子１１ｂは導通状態となり、断路ＳＷ１１ｃを「切」にすれば、端子１１ａと端子１１ｂは非導通状態となる。他の端子についても同様である。また、断路ＳＷ１１ｃ〜２０ｃは、たとえば、押すとオン（入）、引くとオフ（切）になるタイプのものや、両端子を電気的に接続するためのコネクタ状の部品を装着することにより、入切するという構造が考えられるが、本発明はこの断路ＳＷの構造には限定されない。
【００２４】
なお、図中、断路ＳＷや他の開閉器（８Ｄ，８Ｃなど）の図上に×印を付している場合は、当該断路ＳＷや開閉器はオフ（切）状態であることを表し、×印を付していない場合は、当該断路ＳＷや開閉器はオン（入）状態であることを表している。
【００２５】
図２において、端子１２ａ―端子１２ｂ間〜端子１５ａ―端子１５ｂ間は、断路ＳＷを備えず、端子１２ａ―端子１２ｂ間〜端子１５ａ―端子１５ｂ間がそれぞれ常時導通状態であることを意味しているが、この間に断路ＳＷを設けて、この断路ＳＷを常時入状態にしておいても良い。
【００２６】
（中継ＴＢ１０の他の実施例）
図３に他の実施例による中継ＴＢを用いた各装置間の配線図を示す。この図において、中継ＴＢ１０ａは、それぞれダイオード２１，２２を介して、端子１３ａ−端子１３ｂ、端子１５ａ―端子１５ｂを接続している。このダイオード付き中継端子台を用いることにより、中継ＴＢ１０ａの各端子の配線接続作業の効率を上げることができる。
以下、次に説明する各ステップを順に実行する。
【００２７】
１−２．旧ＴＣの４３Ｒ直接試験方法（図４参照）
＜ＳＢ１＞新ＴＣ３の８Ｄ切中であることを確認する。
＜ＳＢ２＞断路ＳＷ１６ｃと断路ＳＷ１１ｃを活かす。これにより、端子１６ａ―端子１６ｂ間、および、端子１１ａ―端子１１ｂ間が導通状態になり、図４中の破線のルートで電流が流れる。
＜ＳＢ３＞旧ＴＣ４の８Ｄを投入する。
＜ＳＢ４＞受電盤６側の端子６２で、＋２４Ｖ（ＳＣ）の電圧が計測されるかを確認する。計測されなければ、配線接続をチェックする。＋２４Ｖが計測されれば以降のステップを実行する。
＜ＳＢ５＞旧ＴＣ３の試験を実施する。
【００２８】
１−３．新ＴＣの４３Ｒ直接試験方法（図５参照）
＜ＳＣ１＞旧ＴＣ４の８Ｄを切にする。
＜ＳＣ２＞断路ＳＷ１６ｃと断路ＳＷ１１ｃをロックすなわち切状態にする。
＜ＳＣ３＞新ＴＣ３の８Ｄを投入する。このとき、配線が正常ならば、図５中の破線のルートで電流が流れる。
＜ＳＣ４＞受電盤６側の端子６２で、＋５５Ｖ（ＰＳ）の電圧が計測されるかを確認する。計測されなければ、配線接続をチェックする。＋２４Ｖが計測されれば以降のステップを実行する
＜ＳＣ５＞新ＴＣ３の試験を実施する。
【００２９】
１−４．新ＴＣの４３Ｒ遠方試験方法（図５参照）
＜ＳＤ１＞旧ＴＣ４の８Ｄが切状態にあることを確認する。
＜ＳＤ２＞断路ＳＷ１６ｃ、断路ＳＷ１１ｃがロック中であることを確認する。
＜ＳＤ３＞新ＴＣ３の８Ｄが入状態にあることを確認する。図５中に破線で電流のルートを示すが、新ＴＣ３の４３Ｒ直接試験と同様である。
＜ＳＤ４＞新ＴＣ３の遠方直接切換開閉器（４３Ｒ）（図示せず）を「遠方」側に設定する。旧ＴＣ４の４３Ｒは「直接」側に設定されていることを確認する。
＜ＳＤ５＞新ＴＣ３の試験を実施する。
【００３０】
１−５．旧ＴＣの４３Ｒ遠方試験方法（図６参照）
＜ＳＥ１＞新ＴＣ３の８Ｄを切にする。
＜ＳＥ２＞断路ＳＷ１６ｃと断路ＳＷ１１ｃを入状態にする。
＜ＳＥ３＞旧ＴＣ４の８Ｄを投入する。このときの電流のルートを図６中に破線で示す。
＜ＳＥ４＞新ＴＣ３の４３Ｒが「遠方」側に設定されていることを確認する。また、旧ＴＣ４の４３Ｒを「遠方」側に設定する。
＜ＳＥ５＞旧ＴＣ４の試験を実施する。
【００３１】
１−６．試験終了時点（最終切替まで旧ＴＣで運用）（図６参照）
＜ＳＦ１＞新ＴＣ３の８Ｄを切にする。
＜ＳＦ２＞断路ＳＷ１６ｃ、断路ＳＷ１１ｃを入状態にする。
＜ＳＦ４＞旧ＴＣ４の８Ｄを投入する。図６中に破線で電流のルートを示すが、旧ＴＣ４の４３Ｒ遠方試験の場合と同様である。
＜ＳＦ５＞旧ＴＣ４を４３Ｒ「遠方」にする。また、新ＴＣ３を４３Ｒ「遠方」にする。
【００３２】
１−７．最終日  中継端子台右側ケーブルを撤去する。（図７参照）
＜ＳＧ１＞新ＴＣ３の８Ｄ切中であることを確認する。
＜ＳＧ２＞断路ＳＷ１６ｃと断路ＳＷ１１ｃをロックする。
＜ＳＧ３＞旧ＴＣ４の８Ｄを切にする。
＜ＳＧ４＞旧ＴＣ４を基端とする配線撤去する。
【００３３】
１−８．新ＴＣ３での運用（図８（ａ）参照）
新ＴＣ３の端子３１からの配線を端子１５ａへ接続する。あるいは、ダイオード付き中継ＴＢを使用する場合は、ダイオード２２を介して接続する端子１５ａ―端子１５ｂ間を短絡する。その後、新ＴＣ３の８Ｄを投入する。
【００３４】
なお、図８（ｂ）に示すように、ダイオード整流素子を介して接続された端子と断路スイッチを介して接続された端子とを並列に接続し、該断路スイッチを入り状態に設定することによって切り替え作業の効率が向上する。
【００３５】
以上、本実施の形態によれば、新旧のＴＣを中継ＴＢを介してそれぞれ受電盤や現地機器と接続し、断路スイッチを操作しながら、新ＴＣの試験を行うので、最終切替日まで旧ＴＣの運用に支障を来たすことなく、新ＴＣに対して効率良く試験を行うことができる。
【００３６】
［第２の実施の形態］
２．電流入力回路の切り替え方法
次に、新旧のＴＣ間で電流入力回路の配線を切り替える工法について説明する。
図９は、切り替え前の旧ＴＣ４と受電盤６と現地機器５との配線接続状態を表した図である。この図において、旧ＴＣ４の電流入力回路と計器用変流器（ＣＴ）が配線接続されている。なお、電流入力回路は、電流開放プラグの挿抜動作によって、それぞれ電流の入力を禁止、許可する手段を有しているものとする。
【００３７】
２−１．準備（図１０参照）
＜ＳＨ１＞現地のＣＴ７からの配線を、配電盤８を介して入力するようにする。一対のケーブルをうち一方を中継ＴＢ１０ｂの図中左側の端子１１ｆに接続する。また、他方を中継ＴＢ１０ｂの端子１２ｆに接続する。
＜ＳＨ２＞旧ＴＣ４を基端とした一対の電流ケーブルを中継ＴＢ１０ｂの図中右側の端子１１ｅ、１２ｅにそれぞれ接続する。
＜ＳＨ３＞新ＴＣ３からの電流ケーブルを中継ＴＢ１０ｂの図中左側の端子１１ｇ、１２ｇにそれぞれ接続する。
【００３８】
なお、現地機器からのけ−ブルと新ＴＣ３からのケーブルは、中継ＴＢ１０ｂの同じ側に接続することにより、その後の作業を効率的に行うことができる。
【００３９】
ここで、中継ＴＢ１０ｂは、三端子が互いに接続され導通状態になっている。たとえば、端子１１ｅ，１１ｆ,１１ｇは、それぞれ導通している。他の端子１２ｅ，１２ｆ，１２ｇ〜端子１６ｅ，１６ｆ，１６ｇについても同様である。
この中継ＴＢ１０ｂを用いず、上述した中継ＴＢ１０または中継ＴＢ１０ａを用いる場合は、図左側の現地機器からのケーブルと新ＴＣ３からのケーブルは共締めする。
【００４０】
なお、中継ＴＢ１０，１０ａ，１０ｂは、それぞれ独立に設ける必要はなく、一つの中継ＴＢに中継ＴＢ１０，１０ａ，１０ｂの構造を必要な点数集約して設けるようにしても良い。
【００４１】
２−２．旧ＴＣ試験開始（図１１参照）
＜ＳＩ１＞配電盤８の第一盤点ＣＴＴ（テストターミナル）８１へ短絡プラグを挿入する。（この時点で、ＣＴ７から新ＴＣ３、旧ＴＣ４への電流は共にカットされる。）
＜ＳＩ２＞新ＴＣ３のＣＴＴ３５に開放プラグを挿入する。これにより新ＴＣ３の電流入力回路がオープンになる。
＜ＳＩ３＞試験器９から電流を流して旧ＴＣ４の試験を実施する。
【００４２】
２−３．新ＴＣ試験開始（図１２参照）
＜ＳＪ１＞配電盤８の第一盤点ＣＴＴ８１に短絡プラグが挿入されていることを確認する。    
＜ＳＪ２＞旧ＴＣ４のＣＴＴ４５に開放プラグを挿入する。    
＜ＳＪ３＞試験器９から電流を流して新ＴＣ３の試験を実施する。    
＜ＳＪ４＞試験終了後、配電盤８の第一盤点ＣＴＴ８１から短絡プラグを抜く。
【００４３】
２−４．旧ＴＣ実負荷試験（図１３参照）
＜ＳＫ１＞新ＴＣ３の電源「切」中、旧ＴＣ４の４３Ｒ「遠方」中であることを確認する。
＜ＳＫ２＞新ＴＣ３のＣＴＴ３５に開放プラグ挿入する。
＜ＳＫ３＞旧ＴＣ４のＣＴＴ４５に測定プラグを挿入して、実負荷試験を実施する。
＜ＳＫ４＞試験終了後、両ＴＣ３，４から開放プラグ、測定プラグをそれぞれ外す。
【００４４】
２−５.新ＴＣ実負荷試験（図１４参照）
＜ＳＬ１＞旧ＴＣ４の４３Ｒを「直接」、８Ｄを「切」にする。
＜ＳＬ２＞新ＴＣ３の電源を投入し、新ＴＣの４３Ｒを「遠方」側に設定する。
＜ＳＬ３＞旧ＴＣ４のＣＴＴ４５に開放プラグ挿入する。
＜ＳＬ４＞新ＴＣ３のＣＴＴ３５へ測定プラグを挿入して、実負荷試験を実施する。
＜ＳＬ５＞試験終了後、両ＴＣ３，４から測定プラグ、開放プラグをそれぞれ外す。
【００４５】
２−６．切替試験終了後の操作（図１５参照）
＜ＳＭ１＞旧ＴＣ４で運用するため新ＴＣ３のＣＴＴ３５へ開放プラグを挿入
＜ＳＭ２＞新ＴＣ３の電源を切る。
＜ＳＭ３＞旧ＴＣ４の電源を投入し、旧ＴＣ４３Ｒを「遠方」側に設定する。
【００４６】
２−７．最終日の操作（図１６参照）
＜ＳＮ１＞新・旧ＴＣの４３Ｒを「直接」側に設定する。
＜ＳＮ２＞旧ＴＣ４のおいて、ＴＣＴ（テレコンテスタ）にて事前計測値を記録する。
＜ＳＮ３＞旧ＴＣ４の８Ｄを「切」にする。
＜ＳＮ４＞新ＴＣ３の８Ｄを「入」にする。
＜ＳＮ５＞旧ＴＣ４を基端とするケーブルを外すため新ＴＣ３の開放プラグを抜く。これにより、ＣＴ７からの電流が分流して新ＴＣ３および旧ＴＣ４の電流入力回路の両方へ流れる。
＜ＳＮ６＞旧ＴＣ４のケーブルを外すため旧ＴＣ４のＣＴＴ４５へ開放プラグを挿入する。ＴＣＴにてこの電流値を確認し、ステップＳＮ２で記録した事前計測値と照合する。
開放プラグを挿入することで旧ＴＣ４へは電流が不通となり、全ての電流が新ＴＣ３へ流れる。
【００４７】
２−８．ケーブル撤去（図１７を参照）
＜ＳＰ１＞中継ＴＢ１０ｂの右側ケーブル（旧ＴＣ４を基端としたケーブル）を撤去する。クランプテスタ９１による測定で電流無し状態であることを確認した後、ケーブルの切り離しを行う。
＜ＳＰ２＞ＴＣＴにて潮流を確認する。
【００４８】
２−９．最終形態
図１８に旧ＴＣ４撤去後の最終形態を示す。
【００４９】
以上、本実施の形態によれば、新旧のＴＣを中継ＴＢを介してそれぞれ受電盤や現地機器と接続し、電流開放プラグや測定プラグ等を操作しながら、新ＴＣの試験を行うので、最終切替日まで旧ＴＣの運用に支障を来たすことなく、新ＴＣに対して効率良く試験を行うことができる。
【００５０】
また、遠方監視制御装置の切り替え工事（以下ＴＣ）を実施する際に、従来工法では、該当電気所の送電線・Ｔｒ単位に停電し、現地でのケーブル切替、制御所テーブル切替（以下運用切替）を停電日毎に行う工法で工事を実施していたが、本実施の形態の切り替え工法によれば、運用切替回数を１回で行うことが可能となり、上記テーブル修正費用の低減を図ることができる。
【００５１】
なお、上記第１および第２の実施の形態は、それぞれ単独で、あるいは連続して実施をすることができる。例えば、表示入力回路と電流入力回路について第１および第２の実施の形態の準備段階を夫々実施した後、夫々の試験を行い、その後各回路ごとに旧ＴＣについてのケーブル撤去作業を実施することができることは明らかである。
【符号の説明】
【００５２】
３      新ＴＣ（新設の遠方監視制御装置）
４      旧ＴＣ（既設の遠方監視制御装置）
５    現地機器
６    受電盤
７      計器用変流器（ＣＴ）
８    配電盤
９    試験器
１０，１０ａ，１０ｂ    中継端子部（中継端子台、中継端子盤を含む）
１１〜２０    端子
２１，２２    ダイオード
２２    ダイオード
３１，４１    電源出力端子
３２，４２    信号入力端子
３５，４５，８１  テストターミナル（ＣＴＴ）
５１    接点
６１，６２    受電盤端子
９１    クランプテスタ
【図１】
2012029537.tif 000003
【図２】
2012029537.tif 000004
【図３】
2012029537.tif 000005
【図４】
2012029537.tif 000006
【図５】
2012029537.tif 000007
【図６】
2012029537.tif 000008
【図７】
2012029537.tif 000009
【図８】
2012029537.tif 000010
【図９】
2012029537.tif 000011
【図１０】
2012029537.tif 000012
【図１１】
2012029537.tif 000013
【図１２】
2012029537.tif 000014
【図１３】
2012029537.tif 000015
【図１４】
2012029537.tif 000016
【図１５】
2012029537.tif 000017
【図１６】
2012029537.tif 000018
【図１７】
2012029537.tif 000019
【図１８】
2012029537.tif 000020